(57)【要約】【課題】光源における局部の高温化を回避し、均一な照明光を得るとともに光源の長寿命化を達成する。【解決手段】光源装置５０を構成するケーシング５２内に蓄積性蛍光体シートＩＰが導入され、蛍光ランプ５４ａ〜５４ｄが点灯して該蓄積性蛍光体シートＩＰの残存画像が消去される。前記蛍光ランプ５４ａ〜５４ｄの端部近傍の熱は保持部材５８ａ〜５８ｄ、支持板５６ａ〜５６ｄを経て反射板６６に伝達される。必要に応じて冷却ファン７４が付勢され、ダクト７８を通過する冷却風は前記反射板６６を冷却する。【選択図】図１
2005276778.tif 000002
【特許請求の範囲】
【請求項１】
複数の互いに平行に配設された長尺なランプと、
前記複数のランプの端部近傍を位置決め保持する保持部材と、
を備え、
前記保持部材が熱伝導部材からなることを特徴とする光源装置。
【請求項２】
請求項１記載の光源装置において、
前記保持部材が前記複数の互いに平行に配設された長尺なランプの端部近傍を受容する複数の溝部を有することを特徴とする光源装置。
【請求項３】
請求項１又は２記載の光源装置において、
前記保持部材が前記複数の互いに平行に配設された長尺なランプが発する光を反射する反射板に係合し、前記保持部材の熱を前記反射板に伝導することを特徴とする光源装置。
【請求項４】
請求項３記載の光源装置において、前記反射板の一部はダクトを構成し、前記ダクトに対し冷却風を送給するファンを臨ませてなることを特徴とする光源装置。
【請求項５】
請求項４記載の光源装置において、前記反射板とダクトの一部は一体成形品で構成されてなることを特徴とする光源装置。
【発明の詳細な説明】
【技術分野】
【０００１】
本発明は光源装置に関し、一層詳細には、複数のランプ、例えば、長尺な蛍光ランプを互いに平行に配設して光源装置として構成する際、前記ランプの端部近傍を位置決めする保持部材を熱伝導部材とし、該ランプの保持と熱放出とを併せて行うように構成した光源装置に関する。
【背景技術】
【０００２】
本出願人は、特開２００３−１７８７１６号公報（特許文献１）において、蛍光ランプの発熱量が相対的に大きな部分に対応して熱伝導部材を接触せしめ、蛍光ランプの熱をこの熱伝導部材を介して放熱部材から放出し、蛍光ランプ全体を均一な温度に維持するとともに、該蛍光ランプの照射効率を向上させた光源装置を提案している。
【０００３】
ここで、前記光源装置を組み込む放射線画像情報記録読取装置を概略説明すれば、以下の通りである。
【０００４】
図７に示すように、前記放射線画像情報記録読取装置１０は、人体等の被写体Ｈの放射線画像情報を蓄積性蛍光体シートＩＰに一旦記録する放射線記録部１２と、前記蓄積性蛍光体シートＩＰにレーザ光等の励起光Ｌを照射し、放射線の強度に応じて発光する輝尽発光光Ｒを光電的に読み取る読み取り部１４と、蓄積性蛍光体シートＩＰに残存している放射線エネルギを放出させるために残像画像を消去すべく光源装置１６とを備えている。光源装置１６は複数本並設された蛍光ランプ１８を備える。
【０００５】
放射線記録部１２は、放射線Ｓを発生させる放射線源２０を有し、被写体Ｈはこの放射線源２０と放射線透過性の撮影台２２との間で撮影に待機する。撮影台２２の後方には、蓄積性蛍光体シートＩＰが所定の撮影位置に保持されるように構成されている。
【０００６】
読み取り部１４は、蓄積性蛍光体シートＩＰに担持された放射線画像情報を光電的に読み取るスキャナユニット２４を備えるとともに、前記スキャナユニット２４を副走査方向である鉛直方向（矢印Ｙ方向）に移動させる副走査系２６とを備えている。
【０００７】
光源装置１６は、蓄積性蛍光体シートＩＰに対し読み取り部１４を挟んで対向して配置され、光源装置１６は、蓄積性蛍光体シートＩＰに消去光Ｑを照射して該蓄積性蛍光体シートＩＰに残存している放射線エネルギを放出させるものである。なお、蛍光ランプ１８は、蓄積性蛍光体シートＩＰの幅方向以上の長さを有し、該蓄積性蛍光体シートＩＰの長さ方向（Ｙ方向）に複数個配設されることにより、前記蓄積性蛍光体シートＩＰの全画像情報に消去光Ｑが照射されるように構成されている。
【０００８】
【特許文献１】特開２００３−１７８７１６号公報
【発明の開示】
【発明が解決しようとする課題】
【０００９】
前記特許文献１に記載の光源装置１６では、図８に示すように、蛍光ランプ１８の端部近傍に支持部材４０によって保持された熱伝導部材４２が設けられている。この場合、支持部材４０は、形状記憶合金で構成され、この支持部材４０が、蛍光ランプ３８の温度が設定温度より高くなる際に熱伝導部材４２を、図８に破線で示すように、前記蛍光ランプ３８を構成するガラス管４４の周面に接触させる。一方、支持部材４０は、蛍光ランプ３８の温度が設定温度より低い場合に、図８において実線で示すような形状に変形して、熱伝導部材４２をガラス管４４の周面から離間させる。
【００１０】
前記の従来技術は、蛍光ランプ３８を構成する電極４６近傍の熱を設定温度によって熱伝導部材４２を接触させることにより、この熱伝導部材４２から熱を伝導せしめて外部へと放出させるように構成したものである。
【００１１】
本発明は、前記のような光源装置に関するものであり、簡単な構成で確実にランプの位置決めを行うとともに、ランプの冷却、すなわち、放熱をも併せて行うように構成したものである。
【課題を解決するための手段】
【００１２】
本発明に係る光源装置は、複数の互いに平行に配設された長尺なランプと、前記複数のランプの端部近傍を位置決め保持する保持部材とを備え、前記保持部材が熱伝導部材からなることを特徴とする。
【００１３】
前記のように、保持部材は熱伝導部材で構成されているために、長尺なランプを位置決め保持するとともに該ランプの端部近傍の高温な部位からの熱放出を行う。これによって、長尺なランプ自体にその軸方向に沿って温度ムラが生起することなく、発光光量も均一化するとともに、長寿命化が達成される。
【００１４】
この場合、本発明に係る光源装置は、前記保持部材が前記複数の互いに平行に配設された長尺なランプの端部近傍を受容する複数の溝部を有することを特徴とする。前記のように、保持部材がランプの端部近傍を保持するように溝を形成しているため、高温化するランプ端部の熱を放射することが可能な接触面積を確保でき、しかもランプを確実に保持し且つ部品点数が増すこともない。
【００１５】
さらに、本発明に係る光源装置は、前記保持部材が前記複数の互いに平行に配設された長尺なランプが発する光を反射する反射板に係合し、前記保持部材の熱を前記反射板に伝導することを特徴とする。前記のように、保持部材の一部を長尺なランプの光を反射する反射板と係合しているので、反射板がヒートシンクの役割を果たし、この結果、保持部材の熱を誤反射板へと逃出せしめることにより、より一層ランプの端部近傍の熱を保持部材に伝導することができる。
【００１６】
一層好適には、前記反射板の一部はダクトを構成し、前記ダクトに対し冷却風を送給するファンを臨ませてなることを特徴とし、さらに、前記反射板とダクトの一部は一体成形品で構成されてなることを特徴とする。このように、必要に応じてファンから冷却風を送給すれば、反射板と保持板が一層効果的に冷却され、結局、ランプも好適に冷やされることになる。そして、前記反射板とダクトとを一体成形すれば生産効率が高まり、コストダウンが達成されるとともに組立もまた容易化する。
【発明の効果】
【００１７】
本発明によれば、ランプを保持する保持する保持部材が放熱部材としても作用する。従って、ランプの保持機能に併せてランプからの放熱作用を営むために、部品点数を少なくて且つ十分な放熱効果とランプの長寿命化が達成される。
【発明を実施するための最良の形態】
【００１８】
本発明に係る光源装置について、好適な実施の形態を掲げ、添付の図面を参照しながら、以下詳細に説明する。
【００１９】
図１において、参照符号５０は光源装置を示し、前記光源装置５０は直方体状のケーシング５２を含む。前記ケーシング５２の内部に、少なくとも、４本の長尺な蛍光ランプ５４ａ〜５４ｄが等間隔に且つ平行に配設されるが、勿論その本数は限定されない。実際、蛍光ランプ５４ａ〜５４ｄは、前記ケーシング５２に固定された支持板５６ａ、５６ｂと、この支持板５６ａ、５６ｂに固定された保持部材５８ａ、５８ｂ、５８ｃ、５８ｄによって支持される。
【００２０】
図２及び図３から了解されるように、保持部材５８ａ、５８ｂは蛍光ランプ５４ａ〜５４ｄの下半分の形状と対応する湾曲した溝部６０ａ〜６０ｄを有し、保持部材５８ｃ、５８ｄは、前記蛍光ランプ５４ａ〜５４ｄの上半分の形状に対応する湾曲した溝部６２ａ〜６２ｄを有する。
【００２１】
支持板５６ａ、５６ｂは、図２からも了解されるように、上方が開口されたコ字状に形成されており、前記保持部材５８ａ、５８ｂの側壁から若干離間して立ち上がり部材６４ａ及び６４ｂを有する。
【００２２】
一方、支持板５６ｃ、５６ｄは、図２において下方に指向して開口する開口部を有し、支持板５６ａ、５６ｂよりもその水平方向の長さが短い。そして、支持板５６ｃ、５６ｄは、その両端で脚部６８ａ、６８ｂを有するコ字状である。この場合、保持部材５８ｃ、５８ｄの外側壁は、前記支持板５６ｃ、５６ｄの脚部６８ａ、６８ｂの内壁と接する。この脚部６８ａ、６８ｂは保持部材５８ａ、５８ｂの側部と立ち上がり部材６４ａ、６４ｂとの間で画成された空間７０ａ、７０ｂに進入し、両者が一体化することによって湾曲する溝部６０ａ〜６０ｄと６２ａ〜６２ｄとの間で蛍光ランプ５４ａ〜５４ｄを挟持する。
【００２３】
この場合、保持部材５８ａ〜５８ｄは、熱伝導率の高い部材、例えば高熱伝導性シリコンで形成されている。
【００２４】
そこで、前記のような構成において、本実施の形態では、ケーシング５２の内部にあって前記支持板５６ｃ、５６ｄ側に反射板６６を設ける。この反射板６６は前記ケーシング５２の側壁を利用して固着されてもよく、あるいはケーシング５２の底面から立ち上がる図示しないポール等によって中空状に保持してもよい。前記反射板６６は支持板５６ｃと支持板５６ｄに跨がり、蛍光ランプ５４ａ〜５４ｄの上方にあって該蛍光ランプ５４ａ〜５４ｄからの発光光を反射すべく該反射板６６の下面は鏡面仕上げとされている。
【００２５】
ここで、前記反射板６６は支持板５６ｃ、５６ｄを介して、あるいは該支持板５６ｃ、５６ｄを介することなく直接に保持部材５８ｃと５８ｄを係合させるとよい。前者の場合、支持板５６ｃ、５６ｄを熱伝導の良好な部材で構成すれば、蛍光ランプ５４ａ〜５４ｄがその点灯時に発する熱を該支持板５６ｃ、５６ｄを介して反射板６６に伝達できる。この時、反射板６６が十分にヒートマスのある部材で構成しておけば、前記の熱をこの反射板６６に伝導することが可能である。
【００２６】
一方、支持板５６ｃ、５６ｄを用いることなく、直接保持部材５８ｃ、５８ｄの上面に反射板６６を固着することも可能である。この構成によれば、蛍光ランプ５４ａ〜５４ｄの熱は保持部材５８ｃ、５８ｄに直接伝導され、次いで、前記反射板６６に伝えられる。
【００２７】
なお、支持板５６ａ、５６ｂの間には必要に応じてフィルタ７２を配し、長波長光あるいは紫外線をカットするようにしてもよい。
【００２８】
本実施の形態では、ケーシング５２の側壁部に冷却ファン７４を設けることもできる。この場合、反射板６６の上面を利用し、ケーシング５２内に配置された板体７６との間でダクト７８を構成し、このダクト７８によって形成される通風路に冷却ファン７４を臨ませ且つ冷却ファン７４の反対側は外部へと開放して冷却ファン７４から送られてくる風をダクトを通した上外部へと導出するようにしてもよい。
【００２９】
本発明に係る光源装置は、基本的には以上のように構成されるものであり、次にその作用について説明する。
【００３０】
図７を参照して、被写体Ｈの放射線画像情報の記録を行うべく、患者等の被写体Ｈが放射線記録部１２に移動すると、医師等の操作によって撮影台２２を昇降させ画像記録のための位置合わせが行われる。次いで、被写体Ｈが撮影台２２に対峙した状態で、医師等によって放射線源２０が付勢される。この放射線源２０から出力された放射線Ｓは、被写体Ｈを透過して蓄積性蛍光体シートＩＰに到達することにより、前記蓄積性蛍光体シートＩＰに該被写体Ｈの放射線画像情報が記録される。
【００３１】
前記被写体Ｈの放射線画像情報が蓄積性蛍光体シートＩＰに記録された後、読み取り部１４が付勢されるとともに、副走査系２６が駆動される。それによって、蓄積性蛍光体シートＩＰに対し、励起光Ｌが主方向に向かって照射され、一方、前記副走査系２６の駆動作用下に読み取り部１４を構成するスキャナヘッドが矢印Ｙ方向（副走査方向）に移動し、このため放射線画像情報が蓄積された蓄積性蛍光体シートＩＰは励起光Ｌによって二次元的に走査され、この蓄積性蛍光体シートＩＰが放射線画像情報に応じた輝尽発光光Ｒを発する。
【００３２】
この輝尽発光光Ｒは読み取り部１４によって読み取られて、前記輝尽発光光Ｒが電気信号に変換されて蓄積性蛍光体シートＩＰの放射線画像情報が光電的に読み取られる。
【００３３】
次いで、放射線画像情報の読み取りが行われた蓄積性蛍光体シートＩＰに対して、本実施の形態に係る光源装置５０から消去光Ｑが照射される。すなわち、蛍光ランプ５４ａ〜５４ｄが付勢され、消去光Ｑは蓄積性蛍光体シートＩＰに残存する放射線エネルギの放出を行う。従って、残存する放射線エネルギが消失した蓄積性蛍光体シートＩＰは次の撮影に供されることになる。
【００３４】
この場合、本実施の形態では、蛍光ランプ５４ａ〜５４ｄの付勢作用下に発生する熱、特に光源部分に近い発熱部位では、保持部材５８ａ〜５８ｄにその熱が伝わる。
【００３５】
ここで、前記保持部材５８ａ〜５８ｄは、熱伝導部材で形成されている。従って、光源部分から伝わった熱は前記保持部材５８ａ〜５８ｄに伝導されることになる。この結果、前記蛍光ランプ５４ａ〜５４ｄの光源部分が局部的に高温になる不都合が回避される。一方、前記保持部材５８ａ〜５８ｄが反射板６６に直接係合し、あるいは支持板５６ｃ、５６ｄを介して係合している場合には、前記熱は反射板６６に伝導される。
【００３６】
すなわち、反射板６６は、ヒートシンクとして作用することから、蛍光ランプ５４ａ〜５４ｄの端部近傍の高温の熱を含め、発生した熱は、反射板６６側へと伝導され、換言すれば、蛍光ランプ５４ａ〜５４ｄは適度の温度に冷却されることになる。従って、蛍光ランプ５４ａ〜５４ｄが局部的に高温となることもなく、このために、蓄積性蛍光体シートＩＰに照射される光も均一化され、蛍光ランプ５４ａ〜５４ｄの長寿命化が達成される。
【００３７】
必要に応じて、冷却ファン７４が付勢される。この冷却ファン７４によって、反射板６６が冷却されるため、さらに蛍光ランプ５４ａ〜５４ｄの熱は保持部材５８ａ〜５８ｄから直接または支持板５６ａ、５６ｂを経て反射板６６へとより一層放出されることになる。
【００３８】
以上のようにして、本実施の形態によれば、蛍光ランプ５４ａ〜５４ｄで発生する熱が蛍光ランプを保持する保持部材５８ａ〜５８ｄに放熱され、さらにこの保持部材５８ａ〜５８ｄの熱は、ヒートシンクとして作用する反射板６６へと伝達される。従って、蛍光ランプ５４ａ〜５４ｄはその発光効率及び輝度特性等が所望の状態に維持され、蓄積性蛍光体シートＩＰに残存する放射線画像情報の消去処理が効果的に遂行される。
【００３９】
図５及び図６に、本発明の他の実施の形態を掲げる。この場合、保持部材５８ｂ、５８ｄは前記実施の形態と同一の形状を採用し、一方、保持部材５８ａ、５８ｃの外側に放熱部材８０ａ、８０ｃを設け、保持部材５８ｂ、５８ｄの外側に放熱部材８０ｂ、８０ｄを設けている。図から容易に了解されるように、放熱部材８０ａ〜８０ｄは、直方体状であって、円形状の蛍光ランプ５４ａ〜５４ｄを単に挟持する形状である。
【００４０】
以上の構成によれば、保持部材５８ａ〜５８ｄと、その外側の放熱部材８０ａ〜８０ｄが互いにその側面において密着し、且つ、放熱部材８０ｃ、８０ｄは反射板６６に当接している。このため、放熱部材８０ａ〜８０ｄは蛍光ランプ５４ａ〜５４ｄが発する熱と直接、または保持部材５８ａ〜５８ｄから受け、さらにヒートシンクとして作用する反射板６６へと好適に伝達する。従って、放熱効果が一層高まることは容易に了解されよう。
【００４１】
以上のように、蛍光ランプを保持する保持する保持部材が放熱部材として作用する。従って、構造が簡単でありながらランプの熱を効果的に放熱し、蛍光ランプが局部的に高温になることが避けられ、蛍光ランプの長寿命化が達成される。
【図面の簡単な説明】
【００４２】
【図１】図１は本発明に係る光源装置の概略斜視説明図である。
【図２】図２は図１の光源装置において、蛍光ランプと支持板との関係を示す一部縦断側面分解図である。
【図３】図３は図２の一部縦断側面図である。
【図４】図４は図１の光源装置の冷却風による反射板を冷却する状態の一部縦断正面図である。
【図５】図５は本発明に係る光源装置の他の実施の形態において、冷却風と放熱部材を用いて蛍光ランプを冷却する状態の一部縦断説明図である。
【図６】図６は図５の保持部材と支持板と放熱部材との関係を示す一部省略斜視図である。
【図７】図７は従来技術に係る放射線画像情報記録読取装置の概略縦断説明図である。
【図８】図８は従来技術に係る光源装置の一部省略正面説明図である。
【符号の説明】
【００４３】
２０…放熱光源                          ２２…撮影台
１６、５０…光源装置                    ５２…ケーシング
５４ａ〜５４ｄ…蛍光ランプ              ５６ａ〜５６ｄ…支持板
５８ａ〜５８ｄ…保持部材                ６４ａ、６４ｂ…立ち上がり部材
６０ａ〜６０ｄ、６２ａ〜６２ｄ…溝部    ６６…反射板
６８ａ、６８ｂ…脚部                    ７０ａ、７０ｂ…空間
７２…フィルタ                          ７４…冷却ファン
８０ａ〜８０ｄ…放熱部材
【図１】
2005276778.tif 000003
【図２】
2005276778.tif 000004
【図３】
2005276778.tif 000005
【図４】
2005276778.tif 000006
【図５】
2005276778.tif 000007
【図６】
2005276778.tif 000008
【図７】
2005276778.tif 000009
【図８】
2005276778.tif 000010